(57)【要約】【課題】クラブ全長を無段階に調整することが可能なゴルフクラブを提供すること。【解決手段】シャフトＳの先端に長さ調整機構２０を介してヘッドＨが取り付けられたゴルフクラブ。長さ調整機構２０は、ホーゼル１６と、シャフトＳの先端部と、長さ調整体２１が連結されるスリーブ１７と、長さ調整体２１をホーゼル１６の底部２２に固定するボルト２４とを含む。長さ調整体２１とスリーブ１７はねじ係合可能に設けられており、相互ねじ込み量を調整することで軸方向長さが調整されてクラブ長さを無段階に調整可能とする。【選択図】図１
2014008110.tif 000002
【特許請求の範囲】
【請求項１】
シャフトと、当該シャフトの先端に設けられたヘッドと、前記シャフトとヘッドとの間に設けられた長さ調整機構とを含むゴルフクラブにおいて、
前記長さ調整機構は、ヘッドに設けられた有底のホーゼルと、後端側にシャフトの先端部が連結される一方、先端側に長さ調整体が連結されるスリーブと、前記長さ調整体をホーゼルの底部に固定する固定手段とを含み、
前記長さ調整体とスリーブは、相互にねじ係合可能に設けられ、そのねじ込み量を調整することで軸方向長さが調整可能に設けられていることを特徴とするゴルフクラブ。
【請求項２】
前記長さ調整体は軸状をなし、その外周に雄ねじを備えているとともに、ホーゼル内での回転を規制する回転規制部を備え、前記スリーブは、前記雄ねじに係合する雌ねじを内周側に備えていることを特徴とする請求項１記載のゴルフクラブ。
【請求項３】
前記スリーブの先端側に当該スリーブの軸心から偏心したクサビ状部を備え、当該クサビ状部に第１ロック部材が嵌合可能に設けられる一方、前記スリーブの後端外周部に第２ロック部材が配置され、前記固定部材で長さ調整体をホーゼルの底部に固定したときに第２ロック部材がホーゼル上端に回転不能な状態で係合可能とされ、前記スリーブと長さ調整体との軸方向相対移動を規制した状態で、スリーブがホーゼルに固定されることを特徴とする請求項１又は２記載のゴルフクラブ。
【発明の詳細な説明】
【技術分野】
【０００１】
本発明はゴルフクラブに係り、更に詳しくは、長さを無段階に調整することができるゴルフクラブに関する。
【背景技術】
【０００２】
ゴルフクラブの長さは、ルールブックに記載されているように、概して、ゴルフクラブを水平面に置いたときの当該水平面とソール面の二つの面の交差点からグリップの上端までの距離とされており、当該長さは、ロフト角とともにボールの飛距離を決定する要素となる他、振り易さの要素ともなる。
一般的に、ドライバーと称されるゴルフクラブは、短いタイプで４２．５インチ、長いタイプで４７インチ超のものまで種々市販されており、ユーザーは、それらの中から、身長、腕の長さ等を考慮して最適と思われる長さのものを購入しているのが実情である。
【０００３】
このようなゴルフクラブは、全長が決まっているため、例えば、長めにゴルフクラブを持ちたいときは、握る位置を変えて対応せざるを得ない。この場合には、グリップがテーパ状となっているため、普段握っている位置の太さと異なる太さの領域を握ることになり、それが違和感を与えてショットを乱す要因となる。
そこで、グリップを握る位置を変える必要がなく、ゴルフクラブの長さを変えることができるゴルフクラブが提案されている（例えば、特許文献１、２参照）
【先行技術文献】
【特許文献】
【０００４】
【特許文献１】特開２０１０−２１３８５９号公報
【特許文献２】特開２００８−２９６９１号公報
【発明の開示】
【発明が解決しようとする課題】
【０００５】
特許文献１、２に記載されたゴルフクラブは、ヘッド内に設けられたホーゼルに対し、シャフトの先端位置をホーゼルの軸線方向にずらすことを可能としたものであるが、あらかじめ設定された長さを択一的に選択できるだけで、長さの調整を微細なものとする無段階調整とはなっていない。つまり、特許文献１、２記載のものは、いわゆるアナログ的な長さ調整を行うことは不可能となっている。
従って、ユーザーのニーズが多様化している現状において、そのニーズに十分応えていないというのが実情である。
また、ゴルフクラブの長さを変えるときに、専用のパーツが種々必要となり、部品製作上の難点があるばかりでなく、付属のパーツをユーザーが管理しなければならない、という煩雑さもある。
【０００６】
本発明の目的は、ヘッドのホーゼル内におけるシャフト位置を、その軸線方向に沿って移動可能に構成し、その移動を無段階に行えるようにして全長を調整することが可能なゴルフクラブを提供することにある。
【課題を解決するための手段】
【０００７】
前記目的を達成するため、本発明は、特許請求の範囲記載の構成を採用したものであり、具体的には、シャフトと、当該シャフトの先端に設けられたヘッドと、前記シャフトとヘッドとの間に設けられた長さ調整機構とを含むゴルフクラブにおいて、
前記長さ調整機構は、ヘッドに設けられた有底のホーゼルと、後端側にシャフトの先端部が連結される一方、先端側に長さ調整体が連結されるスリーブと、前記長さ調整体をホーゼルの底部に固定する固定手段とを含み、
前記長さ調整体とスリーブは、相互にねじ係合可能に設けられ、そのねじ込み量を調整することで軸方向長さが調整可能に設けられる、という構成を採っている。
【０００８】
本発明において、前記長さ調整体は軸状をなし、その外周に雄ねじを備えているとともに、ホーゼル内での回転を規制する回転規制部を備え、前記スリーブは、前記雄ねじに係合する雌ねじを内周側に備える構成とすることが好ましい。
【０００９】
更に、前記スリーブの先端側に当該スリーブの軸心から偏心したクサビ状部を備え、当該クサビ状部に第１ロック部材が嵌合可能に設けられる一方、前記スリーブの後端外周部に第２ロック部材が配置され、前記固定部材で長さ調整体をホーゼルの底部に固定したときに第２ロック部材がホーゼル上端に回転不能な状態で係合可能とされ、前記スリーブと長さ調整体との軸方向相対移動を規制した状態で、スリーブがホーゼルに固定されるように設けることができる。
【発明の効果】
【００１０】
本発明によれば、長さ調整体とスリーブとがねじ係合する構成であり、そのねじ込み量を調整することでそれらの全長である軸方向長さが調整可能となり、所望の長さに設定した状態で長さ調整体をホーゼルに固定することで、ゴルフクラブの長さを微細且つ無段階に行うことが可能となる。
従って、スペーサ等の部品を介在させることで択一的に長さ調整を行うものに比べ、より多くのユーザーの要望を満たすことが期待できる。
【００１１】
更に、スリーブにクサビ状部を設けて当該クサビ状部に第１ロック部材が嵌合可能としたことで、スリーブと長さ調整体との一体化を強固に行うことができる。
また、長さ調整体をホーゼルの底部に固定したときに当該長さ調整体がホーゼルに回転不能に係合し、また、第２ロック部材がホーゼル上端に回転不能に係合する構成であるため、ボールを打撃したときに、シャフトが回転してしまうようなおそれを確実に解消することができる。
【図面の簡単な説明】
【００１２】
【図１】本実施形態に係るゴルフクラブの最短時要部断面図。
【図２】ゴルフクラブを長くした状態を示す要部断面図。
【図３】図１の分解図。
【図４】（Ａ）はスリーブの正面図、（Ｂ）はその縦断面図。
【図５】（Ａ）は長さ調整体の正面図、（Ｂ）はその縦断面図、（Ｃ）は底面図。
【図６】（Ａ）は第１ロック部材の平面図、（Ｂ）は正面図、（Ｃ）は図６（Ａ）のＣ−Ｃ線矢視断面図。
【図７】（Ａ）は第２ロック部材の正面図、（Ｂ）はその縦断面図、（Ｃ）は底面図、（Ｄ）は弾性部材の正面図、（Ｅ）はその平面図。
【発明を実施するための形態】
【００１３】
以下、本発明が、ドライバーと称されるゴルフクラブヘッドに適用された実施形態について、図面を参照しながら説明する。
なお、本明細書において、特に明示しない限り、位置若しくは方向を示す用語である「先端」、「下」は、シャフトを基準として見たときに、ヘッド側について用いられ、また、「後」、「上」は、その反対側、すなわちグリップが取り付けられる側について用いられる。
【００１４】
本実施形態におけるゴルフクラブ１０は、図１及び図２に示されるように、シャフトＳと、当該シャフトＳの先端に設けられたヘッドＨと、シャフトＳ及びヘッドＨ間に設けられた長さ調整機構２０とを含む。シャフトＳの図示しない反対側の後端部にはグリップが設けられている。
ヘッドＨは、クラウン面１１、サイド面１２、ソール面１３及びフェース面１４を備えた中空に設けられている。クラウン面１１のヒール１５側からソール面１３に向かう内部には有底筒状のホーゼル１６が一体に設けられている。このホーゼル１６の内部には、スリーブ１７を介してシャフトＳの一端側（先端側）が受容されている。
【００１５】
前記長さ調整機構２０は、前記ホーゼル１６及びスリーブ１７と、スリーブ１７にねじ係合するとともに、ねじ込み量を調整することでスリーブ１７との軸方向長さを調整する長さ調整体２１と、当該長さ調整体２１をホーゼル１６の底部２２に固定する固定手段としてのボルト２４と、スリーブ１７の図中下部外周（先端側外周）及び上部外周（後端側外周）にそれぞれ装着される第１及び第２ロック部材２６、２７と、長さ調整体２１と前記底部２２との間に介装された弾性部材２８とを含んで構成されている。
【００１６】
前記ホーゼル１６は、図３に示されるように、円筒状のホーゼル本体２９と、その下部側に連設されるとともに横断面形状が方形となる縮小部３０とを含み、底部２２は、縮小部３０の下部に設けられている。縮小部３０の中間部内周には、内径を絞り込む段部３０Ａが形成され、この段部３０Ａが弾性部材２８の受け部として作用するように構成されている。また、底部２２は、その中央部にボルト２４の挿通孔２２Ａが形成されている。底部２２はソール面１３を部分的に陥没させる凹部３２を形成し、この凹部３２内でボルト２４が操作される。なお、ホーゼル１６の図中上端すなわち後端には、周方向所定間隔ごとに凹部１６Ａが形成されている。
【００１７】
前記スリーブ１７は、図３、図４に示されるように、ホーゼル１６内に挿抜可能な筒状をなし、その外周面に雄ねじ３３（逆ねじ）が軸方向に沿って形成されている。スリーブ１７の内部中間部には仕切壁３４が形成されている。この仕切壁３４に対して後部領域となる上部空間にシャフトＳの先端を収容して当該シャフトＳがスリーブ１７に接着剤で固定され、これにより、シャフトＳの先端側にスリーブ１７が一体的に連結される。仕切壁３４よりも先端側となるスリーブ１７の内周面には雌ねじ３６が形成されている。また、スリーブ１７の下端には、当該スリーブの軸心に対して偏心した短筒状のクサビ状部３７が突設され、このクサビ状部３７が第１ロック部材２６の内側部分に食い込んで位置するようになっている。なお、スリーブ１７はホーゼル１６内に位置したときに、当該ホーゼル１６の内周面には接触しない外径とされている。
【００１８】
前記長さ調整体２１は軸状に形成され、図５に示されるように、外周に雄ねじ４０が形成された円柱部２１Ａと、その一端側である先端側に連設されるとともに前記縮小部３０と共に回転規制部を構成する角柱部２１Ｂとを含む。角柱部２１Ｂは、ホーゼル１６の縮小部３０内に位置するもので、その先端すなわち図５中下端面にはねじ穴４２が形成され、当該ねじ穴４２には、凹部３２側から底部２２を通じて挿入されるボルト２４がねじ込み可能となっている。
【００１９】
前記第１ロック部材２６は、図６に示されるように、長さ調整体２１の雄ねじ４０にねじ係合する雌ねじ４４（図６（Ｃ）参照）を内周側に備えたナット状の外観形状を備えている。この第１ロック部材２６の一端側には、前記クサビ状部３７を受け入れて食い込む係合凹部４６が形成されている。この係合凹部４６は、雌ねじ４４の中心軸線に対して軸心が偏心して形成され、クサビ状部３７への係合力を強くするように構成されている。
【００２０】
前記第２ロック部材２７は、スリーブ１７の外周にねじ込まれる段付きのナット状に設けられている。この第２ロック部材２７は、図７（Ａ）〜（Ｃ）に示されるように、内周に雌ねじ（逆ねじ）５０を備え、外周面は、ホーゼル１６の後端外径と同じ外径を有する大径部５２と、これより小さい小径部５３とを備え、小径部５３の周方向に沿って等間隔ごとに突部５４が形成されている。これら突部５４は、ホーゼル１６の後端に設けられた凹部１６Ａ内にそれぞれ受容され、これにより第２ロック部材２７の回転規制が行われるようになっている。
【００２１】
前記弾性部材２８はホーゼル１６の縮小部３０内に配置されるものであり、図７（Ｄ）、（Ｅ）に示されるように、板状部６０と、この板状部６０の一方の面である下面に設けられたばね部６１とからなる。板状部６０は、平面形状が方形をなし、その中央部にボルト２４の挿入孔６０Ａが形成されている。この弾性部材２８は、ばね部６１が下方位置となる向きで、ホーゼル１６の底部２２の直近上方に収容される。
【００２２】
次に、本実施形態におけるゴルフクラブ１０の長さ調整方法について説明する。
【００２３】
初期設定においては、図１に示されるように、最短状態にあるものとする。
ここで、長さを長くする場合には、先ず、ボルト２４を緩めて長さ調整体２１から抜き出す一方、シャフトＳをスリーブ１７と共にホーゼル１６から抜き出す。この際、第１及び第２のロック部材２６、２７はシャフトＳ側に付随する。
【００２４】
次いで、第１ロック部材２６を緩める方向に回転させて長さ調整体２１から取り外し、長さ調整体２１の先端側がスリーブ１７から更に突出する方向に両社を相対回転させ、それらの全長を長くする。
【００２５】
スリーブ１７と長さ調整体２１とにより全長を所望の長さに設定した状態で、第１ロック部材２６を長さ調整体２１の外周に取り付ける。この際、第１ロック部材２６の係合凹部４６内にスリーブ１７のクサビ状部３７を食い込ませることで、スリーブ１７と長さ調整体２１とが強固に一体化される。
【００２６】
この後、スリーブ１７及び長さ調整体２１をホーゼル１６内に挿入し、ホーゼル１６の底部２２側に収容されている弾性部材２８の板状部６０に長さ調整体２１の角柱部２１Ｂ先端面を当接させる。この状態で、第２ロック部材２７を回転させてスリーブ１７の先端側に進め、第２ロック部材２７の突部５４が凹部１６Ａの位置に対応する状態で、当該第２ロック部材２７をホーゼル１６の後端に接触させる。
【００２７】
次いで、ボルト２４を底部２２側から挿入して長さ調整体２１にねじ込む。このねじ込みにより、長さ調整体２１はホーゼル１６内で前進し、角柱部２１Ｂの先端面が弾性部材２８の板状部６０を押圧してばね６１を縮ませると同時に、第２ロック部材２７の突部５４が凹部１６Ａ内に入り込み、凹部１６の底部に突部５４が突き当たった位置で固定を完了する。
【００２８】
従って、本実施形態によれば、長さ調整体２１とスリーブ１７との軸方向における相対位置を調整するだけで、無段階に長さ調整を行うことができるゴルフクラブを提供することができる。
【００２９】
本発明を実施するための最良の構成、方法などは、以上の記載で開示されているが、本発明は、これに限定されるものではない。
すなわち、本発明は、特定の実施の形態に関して特に図示し、且つ、説明されているが、本発明の技術的思想及び目的の範囲から逸脱することなく、以上に述べた実施例に対し、当業者が様々な変更を加えることができるものである。
【００３０】
例えば、前記実施形態では、長さ調整体２１の角柱部２１Ｂとホーゼル１６の縮小部３０とにより回転規制部を構成したが、本発明はこれに限定されるものではなく、第１ロック部材２６がホーゼル１６内で回転不能となる形状に設定することでもよい。
更に、弾性部材２８は、それ自体が圧縮変形し、圧縮力を解除したときに、初期形状に復帰する樹脂やゴムを用いた成形品であってもよい。また、弾性部材２８は必ずしも設けることを要しない。
また、固定手段はボルト２４に限定されるものではなく、例えば、長さ調整体２１の角柱部２１Ｂが底部２２を貫通する長さを有し、その外周にねじが形成された場合には、当該ねじに係合するナット部材に代替できることになる。
更に、本発明の対象クラブは、ドライバーに限定されるものではなく、フェアウェイウッドやユーティリティにも適用できる他、アイアンゴルフクラブにも適用することを妨げない。
要するに、本発明は、ゴルフクラブの全長が無段階に調整できる構成であれば足りる。
【符号の説明】
【００３１】
Ｓ…シャフト、Ｈ…ヘッド、１０…ゴルフクラブ、１６…ホーゼル、１７…スリーブ、
２０…長さ調整機構、２１…長さ調整体、２２…底部、２４…ボルト（固定手段）、２１Ｂ…角柱部（回転規制部）３０…縮小部（回転規制部）３７…クサビ状部、２６…第１ロック部材、２７…第２ロック部材
【図１】
2014008110.tif 000003
【図２】
2014008110.tif 000004
【図３】
2014008110.tif 000005
【図４】
2014008110.tif 000006
【図５】
2014008110.tif 000007
【図６】
2014008110.tif 000008
【図７】
2014008110.tif 000009